(57)【特許請求の範囲】
【請求項１】
機器本体に対し開閉回動自在に取り付けられる蓋体と、
上記機器本体側に形成された第１の長孔に、一端側に設けられたストッパー軸が移動自在に係合されると共に、他端側が上記蓋体に回動自在に連結され、上記蓋体の開閉回動に連動して上記ストッパー軸が上記第１の長孔に沿って移動されるストッパーレバーと、
上記ストッパーレバーを介して上記蓋体を開き方向に偏倚させるばね部材と、
上記蓋体が所定角度まで開かれたときに上記ストッパー軸が当たる位置に移動自在に設けられた緩衝レバーと、を備え、
上記緩衝レバーは、上記蓋体が所定角度開かれた後に上記ばね部材の力に抗して上記ストッパー軸が当たる方向に偏倚されて構成される
蓋体の開放機構。
【請求項２】
上記緩衝レバーには第２の長孔が形成され、
上記機器本体側には上記第２の長孔と係合する支持柱が設けられ、
上記緩衝レバーは、上記第２の長孔と上記支持柱との間の隙間の範囲で移動可能である
請求項２に記載の蓋体の開放機構。
【発明の詳細な説明】
【０００１】
【発明の属する技術分野】
本発明は、例えば携帯型カセットプレーヤーに採用して好適な蓋体の開放機構に関する。
【０００２】
【従来の技術】
図５に蓋体を有する電子機器の一例として携帯型のカセットプレーヤーを示す。
図において１はカセットプレーヤーを全体として示し、２はその機器本体、３は蓋体である。
【０００３】
蓋体３は機器本体２に対し開閉回動自在に取り付けられており、この蓋体３を図示の如く開いた状態でこの蓋体３の内側に設けられているカセット保持部にテープカセットＣを挿入して保持させ、その状態で蓋体３を閉じることによりテープカセットＣが機器本体２のカセット装着部４に装着されて再生可能な状態となる。
【０００４】
尚、図には表われていないが機器本本体２側には、蓋体３が閉じられた状態でこれをロックするロック機構と、そのロックを解除するロック解除つまみが設けられており、テープカセットＣを出し入れするときにはこのロック解除つまみを操作してロックを解除し、蓋体３を開くようにする。
【０００５】
このようなカセットプレーヤーでは、蓋体３のロックを解除した後、ばねの力によって蓋体３が自動的に開かれるようにした開放機構が備えられている。
【０００６】
この蓋体の開放機構の従来例を図６〜図８に示す。
図６は蓋体が閉じた状態の側面図、図７は蓋体が開いた状態の側面図、図８は機構の要部の側面図である。
【０００７】
図において１１は機器本体２側に取り付けられる固定板、１２は蓋体３側に取り付けられる回動板で、この回動板１２が固定板１１に対し回動支点軸１３を支点として蓋体３の開閉方向に回動自在に枢支されている。
【０００８】
この構成において機器本体２側の固定板１１と蓋体３側の回動板１２との間には、蓋体３の開き角度を規制するためのストッパーレバー１４が設けられている。
【０００９】
このストッパーレバー１４はその一端側にストッパー軸１５が設けられ、このストッパー軸１５が固定板１１に形成された長孔１６に移動自在に係合されていると共に、他端側が蓋体３側の回動板１２に連結軸１７を介して回動可能に連結されており、これによって蓋体３の開閉回動に連動してストッパー軸１５が長孔１６内を移動される構造となっている。
【００１０】
そしてこの構成において、ストッパーレバー１４のストッパー軸１５側の端部に設けられた係止片１８と、これより回動支点軸１３側で固定板１１に設けられた係止片１９との間には、ばね部材として引張コイルばね２０が張架されており、この引張コイルばね２０の力がストッパーレバー１４を介して回動板１２に伝えられることで蓋体３は機器本体２に対し常に開き方向に回動偏倚されている。
【００１１】
以上の如く構成される蓋体の開放機構は、図６に示すように蓋体３が閉じている状態では図示しないロック機構によって蓋体３がロックされており、この状態からロック解除つまみを操作してロックを解除すると、蓋体３は引張コイルばね２０の力によって自動的に開くように動作する。
【００１２】
そして蓋体３がカセットの出し入れの可能な所定の角度まで開かれると、図７に示す如く蓋体３と連動して長孔１６内を移動するストッパー軸１５が長孔１６の端部に当たって止まる状態となり、これによって蓋体３のそれ以上の開きが規制される。
【００１３】
【発明が解決しようとする課題】
このように構成される従来の蓋体の開放機構は、次のような課題を有している。
即ち、この従来の構成では、引張コイルばね２０の力によって蓋体３が自動的に開いたときに、ストッパーレバー１４のストッパー軸１５が長孔１６の端部に勢いよく当たることによって強い衝撃が加わることになる。
この蓋体３を開いたときの衝撃は、使用者に不快な使用感を与えるだけでなく、場合によっては衝撃によって使用者が機器を手から落してしまうこともあり、好ましくない。
【００１４】
これを回避するためには、蓋体３の回動支点付近にオイルを封入した回転抵抗部品（オイルダンパー）を配置し、これにギヤ機構等を介して蓋体３を動作的に連結した構造とすることで蓋体３がゆっくりと開かれるようにして衝撃を緩和する方法も可能であるが、この場合は回転抵抗部品やギヤ機構を設けることで構成が大幅に複雑化し、機器の大型化やコスト増大につながる問題がある。
【００１５】
本発明はこのような問題点に鑑みてなされたもので、ばねの力で蓋体が自動的に開かれたときの衝撃を簡単な構成で確実に緩和できる機構を提供することを課題としている。
【００１６】
【課題を解決するための手段】
上記の課題を解決するものとして、本発明の蓋体の開放機構は、機器本体に対し開閉回動自在に取り付けられる蓋体と、機器本体側に形成された第１の長孔に、一端側に設けられたストッパー軸が移動自在に係合されると共に、他端側が蓋体に回動自在に連結され、蓋体の開閉回動に連動してストッパー軸が第１の長孔に沿って移動されるストッパーレバーと、このストッパーレバーを介して蓋体を開き方向に偏倚させるばね部材と、蓋体が所定角度まで開かれたときにストッパー軸が当たる位置に移動自在に設けられた緩衝レバーと、を備え、緩衝レバーは、蓋体が所定角度開かれた後にばね部材の力に抗してストッパー軸が当たる方向に偏倚されて構成される。
また、緩衝レバーには第２の長孔が形成され、機器本体側には第２の長孔と係合する支持柱が設けられ、緩衝レバーは、第２の長孔と支持柱との間の隙間の範囲で移動可能である構成とするのが望ましい。
【００１７】
このように構成される本発明の蓋体の開放機構では、ばね部材の力によって蓋体が所定の角度まで開かれると、蓋体に連動して第１の長孔内を移動するストッパー軸が緩衝レバーに当たり、ここで緩衝レバーはばね部材によってストッパー軸が当たる方向とほぼ逆方向に偏倚されていることにより、ストッパー軸の当たりを弾性的に受ける状態となるので、その衝撃が効果的に緩和される。
さらに、本発明では、蓋体を偏倚させるばね部材と緩衝レバーを偏倚させるばね部材とを一つのばねで共用した構成とすることで、部品点数を最小限に抑えることができ、機構の簡素化に有利なものとなる。
また、本発明では、緩衝レバーに第２の長孔を形成し、機器本体側に第２の長孔と係合する支持柱を設け、緩衝レバーを第２の長孔と支持柱との間の隙間の範囲で移動可能である構成とすることで、緩衝レバーをストッパー軸の当たりを弾性的に受けるダンパーとして機能させることができ、ストッパー軸が当たったときの衝撃が効果的に吸収緩和される。
【００１８】
【発明の実施の形態】
以下、図１〜図４を参照しながら本発明による蓋体の開放機構の実施の形態例について詳細に説明する。
尚、本例においても、図５に示したような携帯型のカセットプレーヤーに適用される蓋体の開放機構を例示して説明する。
図１は蓋体が閉じた状態の側面図、図２は蓋体が開いた状態の側面図、図３は機構の要部の上方から見た平面図、図４は同じく側面図である。
【００１９】
本例に示す蓋体の開放機構において基本となる構成は、前述した図６〜図８の従来例と同様である。
【００２０】
即ち図において１１は機器本体２側に取り付けられる固定板、１２は蓋体３側に取り付けられる回動板で、この回動板１２が固定板１１に対し回動支点軸１３を支点として蓋体３の開閉方向に回動自在に枢支されている。
【００２１】
この構成において機器本体２側の固定板１１と蓋体３側の回動板１２との間には、蓋体３の開き角度を規制するためのストッパーレバー１４が設けられている。
【００２２】
このストッパーレバー１４はその一端側にストッパー軸１５が設けられ、このストッパー軸１５が固定板１１に形成された第１の長孔１６に移動自在に係合されていると共に、他端側が蓋体３側の回動板１２に連結軸１７を介して回動可能に連結されており、これによって蓋体３の開閉回動に連動してストッパー軸１５が第１の長孔１６内を移動される構造となっている。
【００２３】
そしてこの構成において、ストッパーレバー１４のストッパー軸１５側の端部に設けられた係止片１８と、これより回動支点軸１３側で固定板１１に設けられた係止片１９との間には、ばね部材として引張コイルばね２０が張架されており、この引張コイルばね２０の力がストッパーレバー１４を介して回動板１２に伝えられることで蓋体３は機器本体２に対し常に開き方向に回動偏倚されている。
【００２４】
この構成に加えて、さらに本例の機構では、蓋体３が所定の角度まで開かれたときにストッパー軸１５が当たる位置に緩衝レバー２２が移動自在に設けられている。
この緩衝レバー２２は固定板１１に設けられた支持柱２４に第２の長孔２５が係合する状態で支持され、この支持柱２４と第２の長孔２５との間の隙間の範囲内でストッパー軸１５の移動方向と同方向に移動可能となされている。
【００２５】
そして、この緩衝レバー２２の端部に設けられた係止片２６とストッパーレバー１４の端部の係止片１８との間には、ばね部材として引張コイルばね２０が張架されており、この引張コイルばね２０の力によって緩衝レバー２２はストッパー軸１５が当たる方向とほぼ逆方向に偏倚されている。
【００２６】
ここで特に本例の機構では、緩衝レバー２２を偏倚させる引張コイルばね２０は蓋体３を開き方向に偏倚させる引張コイルばね２０と共通に使用されている。
即ち引張コイルばね２０は一端がストッパーレバー１４の係止片１８に係止されると共に他端が固定板１１の係止片１９と緩衝レバー２２の係止片２６とに共掛け状態で係止されており、この一つの引張コイルばね２０の引張力によって蓋体３と緩衝レバー２２の両方に偏倚力が付与される構造となっている。
【００２７】
以上の如く構成される本例の蓋体の開放機構は、図１に示すように蓋体３が閉じている状態では図示しないロック機構によって蓋体３がロックされており、この状態からロック解除つまみを操作してロックを解除すると、蓋体３は引張コイルばね２０の力によって自動的に開くように動作する。
【００２８】
そして、蓋体３が所定の角度まで開かれると、図２に示す如く蓋体３と連動して第１の長孔１６内を移動するストッパー軸１５が緩衝レバー２２に当たり、ここで緩衝レバー２２は引張コイルばね２０によってストッパー軸１５が当たる方向とほぼ逆方向に偏倚されていることにより、ストッパー軸１５の当たりを弾性的に受ける状態となる。
【００２９】
即ち、緩衝レバー２２はストッパー軸１５が当たる前の状態では図４（Ａ）に示す如く引張コイルばね２０の力によってストッパー軸１５が当たる方向と対向する方向に偏倚され、第２の長孔２５の一端縁（図において右端縁）が支持柱２４に押し当てられる状態で保持されている。この状態から蓋体３が所定角度まで開かれて同図（Ｂ）に示すようにストッパー軸１５が緩衝レバー２２を押圧することにより、その緩衝レバー２２は引張コイルばね２０を伸ばすように移動して最後には第２の長孔２５の他端縁（図において左端縁）が支持柱２４に当たって止まるように動作する。
【００３０】
この動作において緩衝レバー２２の移動は引張コイルばね２０の力に反する方向の動きであり、このため緩衝レバー２２はストッパー軸１５の当たりを弾性的に受けるダンパーとして機能し、これによってストッパー軸１５が当たったときの衝撃が効果的に吸収緩和されることになる。
【００３１】
このように本例の蓋体の開放機構では、蓋体３が自動的に開かれたときの衝撃を確実に緩和することができるので、使用者に不快な使用感を与えることがなく、また衝撃によって機器を手から落してしまうようなこともない。
【００３２】
そしてこの機構は、前述した図６〜図８の従来の機構に緩衝レバー２２とこの緩衝レバーを支持する支持柱２４の僅か２点の部品を追加するだけの簡単な構成で実施できるものであり、追加された緩衝レバー２２は図３に示すように固定板１１やストッパーレバー１４と同等の厚みの小さな板状部品であり、これを固定板１１の側面に重ね合わせる形で構成されるため機器のサイズへの影響は殆どなく、またコスト的にもごく僅かの部品コスト増で済むことになる。
【００３３】
また特に本例では、蓋体３を偏倚させるばね部材と緩衝レバー２２を偏倚させるばね部材とを一つの引張コイルばね２０で共用した構成により、部品点数を最小限に抑えることができるので、機構構成がより簡素化し、機器の小型化及び低コスト化に一段と有利となるものである。
【００３４】
以上、本発明の実施の形態例について説明したが、本発明は例示したようなカセットプレーヤーに限ることなく、蓋体を有する機器の全般に広く適用可能なものであり、また機構の各部の構成においても上記の例に限定されることなく種々の実施形態を採り得るものであることは言うまでもない。
【００３５】
【発明の効果】
以上の説明で明らかな如く本発明の蓋体の開放機構によれば、ばねの力によって蓋体が自動的に開かれたときの衝撃を確実に緩和することができる。
そしてこの機構は、従来の機構に僅かな部品を追加するだけの簡単な構成で実施できるので、機器の大型化やコスト増大を招くことなく確実な衝撃緩和効果が得られるものである。
【図面の簡単な説明】
【図１】本発明による蓋体の開放機構を示す蓋体が閉じた状態の側面図である。
【図２】同、蓋体が開いた状態の側面図である。
【図３】同、機構の要部の上方から見た平面図である。
【図４】同、機構の要部における衝撃の緩和動作を示す側面図である。
【図５】カセットプレーヤーの斜視図である。
【図６】従来の蓋体の開放機構を示す蓋体が閉じた状態の側面図である。
【図７】同、蓋体が開いた状態の側面図である。
【図８】同、機構の要部の側面図である。
【符号の説明】
２‥‥機器本体、  ３‥‥蓋体、  １１‥‥固定板、  １２‥‥回動板、  １３‥‥回動支点軸、  １４‥‥ストッパーレバー、  １５‥‥ストッパー軸、  １６‥‥第１の長孔、  ２０‥‥引張コイルばね（ばね部材）、  ２２‥‥緩衝レバー、  ２５‥‥第２の長孔
【図１】
0004449208.tif 000002
【図２】
0004449208.tif 000003
【図３】
0004449208.tif 000004
【図４】
0004449208.tif 000005
【図５】
0004449208.tif 000006
【図６】
0004449208.tif 000007
【図７】
0004449208.tif 000008
【図８】
0004449208.tif 000009